(57)【要約】【課題】カッタへの均一なヒータの熱の伝達を図るドラム式製氷機を提供することを目的とする。【解決手段】ドラム式製氷機１０１は、回転駆動され、外周面２ａに製氷水から生成された氷が成長する円筒ドラム２と、円筒ドラム２の外周面２ａの氷を剥離するカッタ４と、カッタ４が取り付けられ、第一溝１１ｂ１を有し且つ熱伝導性を有するカッタマウント１１と、カッタマウント１１の第一溝１１ｂ１に設けられたコードヒータ１５とを備える。【選択図】図４
2011133163.tif 000002
【特許請求の範囲】
【請求項１】
回転駆動され、ドラム表面に水から生成された氷が成長するドラムと、
前記ドラムの前記ドラム表面の氷を剥離するカッタと、
前記カッタが取り付けられ、第一凹部を有し且つ熱伝導性を有するカッタマウントと、
前記カッタマウントの前記第一凹部に設けられた発熱体と
を備えるドラム式製氷機。
【請求項２】
前記カッタマウントは、
前記ドラムの前記ドラム表面に対向する第一表面と、
前記第一凹部が設けられた第二表面と
を有し、
前記第一表面が氷を生成するための水と接触する請求項１に記載のドラム式製氷機。
【請求項３】
前記カッタマウントの前記第一表面と前記ドラムの前記ドラム表面との間隔が、前記ドラムの回転方向に沿って広くなる請求項２に記載のドラム式製氷機。
【請求項４】
前記カッタマウントは、
前記カッタマウントの底部に、前記第二表面を有し、
前記カッタマウントの側部に、前記第一表面を有する請求項２または３に記載のドラム式製氷機。
【請求項５】
前記ドラムを収容する筐体をさらに備え、
前記筐体は、突出部を含む側壁を有し、
前記カッタマウントは、前記突出部の形状に沿った形状をもつキー溝を有し、
前記カッタマウントは、前記キー溝に前記突出部を係合させて前記筐体の前記側壁に取り付けられる請求項１〜４のいずれか一項に記載のドラム式製氷機。
【請求項６】
氷を生成するための水を貯留する製氷水タンクをさらに備え、
前記カッタマウントは、第二凹部を有し、前記第二凹部を前記製氷水タンクに係合させる請求項１〜５のいずれか一項に記載のドラム式製氷機。
【請求項７】
前記カッタマウントは、
前記第二凹部の開口端部に、前記開口端部を切り欠いた面取り部を有し、
前記面取り部と前記製氷水タンクとの間に、前記第二凹部と前記製氷水タンクとの間を密封するシール材を有する請求項６に記載のドラム式製氷機。
【請求項８】
前記カッタマウントに、前記カッタマウントの温度を検出するための温度検出体を備え、
前記温度検出体は、前記カッタマウントに取り付けられた熱伝導性を有するホルダによって、前記カッタマウントに接触して固定される請求項１〜７のいずれか一項に記載のドラム式製氷機。
【請求項９】
前記側壁は、前記側壁から突出し且つ前記カッタマウントに当接して前記カッタマウントを支持する支持部を有する請求項５〜８のいずれか一項に記載のドラム式製氷機。
【請求項１０】
前記支持部は、前記カッタマウントの前記第二表面の前記第一凹部より上方に設けられる請求項９に記載のドラム式製氷機。
【請求項１１】
前記支持部は、下面を有し、
前記下面は、前記カッタマウント側の端部が前記カッタマウントの前記第二表面の前記第一凹部より上方となり、凹むように湾曲する請求項９に記載のドラム式製氷機。
【発明の詳細な説明】
【技術分野】
【０００１】
この発明は、ドラム式製氷機に関する。
【背景技術】
【０００２】
自動製氷機には、蒸発器によって冷却される円筒ドラムを、製氷水が貯留された製氷水タンク内で回転させることにより、円筒ドラムの表面に層状の氷を形成し、この形成された氷をカッタにより剥離して氷片を連続製氷するドラム式製氷機がある。
特許文献１には、ドラム式製氷機が記載されており、このドラム式製氷機は、所定量の製氷水を貯留した製氷水タンクと、製氷水タンクの内部において製氷水にその一部を浸した状態で水平軸回りに回転自在に配置された製氷ドラムとを備えている。さらに、ドラム式製氷機は、製氷ドラムの外表面に形成された氷を剥ぎ取るカッタを備えている。カッタは、その刃先を製氷ドラムの製氷水から出ている部分の外表面に向け、製氷ドラムの軸方向に沿って設けられている。そして、カッタの上面には下方に向かって傾斜したスロープが設けられており、カッタによって剥ぎ取られた氷片は、カッタの上面及びスロープを滑り、下方に向かって延びるシュートに案内され、シュートを介して貯氷庫に導入される。
【０００３】
また、カッタは、その両端を製氷水タンクの側壁に係合させ、位置決めをされた状態で側壁に固定されている。さらに、カッタの下方には、カッタの周辺を加熱するヒータが設けられている。ヒータは、カッタにより剥ぎ取られた氷片のうち微細なもの（屑氷）を融解除去する。そして、このドラム式製氷機では、カッタの下方には製氷水タンクの製氷水が位置しており、ヒータは、刃先と反対側となるカッタの基部からその熱をカッタに伝達する。
【先行技術文献】
【特許文献】
【０００４】
【特許文献１】特開２００７−４６８２８号公報
【発明の概要】
【発明が解決しようとする課題】
【０００５】
しかしながら、特許文献１のドラム式製氷機では、カッタに対してヒータの熱が局所的に加えられて屑氷を融解しているため、氷の融解が局所に集中して発生し、その局所で融解水が集まって溜まってしまう。そして、局所に溜まった融解水は、その表面張力によって、カッタにより剥ぎ取られた氷片のスロープへの移動を妨げてしまうため、氷片の流れが悪くなるという問題がある。
また、カッタ全体の温度を上昇させるためにカッタをヒータによって直接的に加熱すると、ヒータで加熱した箇所において過剰に氷が融解し、発生した融解水が集まって溜まるため、溜まった融解水の表面張力によって氷片の流れが悪くなるという問題がある。
【０００６】
この発明はこのような問題点を解決するためになされたものであり、カッタへの均一なヒータの熱の伝達を図るドラム式製氷機を提供することを目的とする。
【課題を解決するための手段】
【０００７】
上記の課題を解決するために、この発明に係るドラム式製氷機は、回転駆動され、ドラム表面に水から生成された氷が成長するドラムと、ドラムのドラム表面の氷を剥離するカッタと、カッタが取り付けられ、第一凹部を有し且つ熱伝導性を有するカッタマウントと、カッタマウントの第一凹部に設けられた発熱体とを備える。これによって、発熱体の熱は、カッタマウントに伝達され、さらにカッタマウントを伝導する過程で分散されて均一化された状態でカッタに伝達されるため、カッタを均一に加熱することができる。さらに、発熱体を第一凹部内に設けることにより、発熱体からカッタマウントへの伝熱面積が増大するため、発熱体による加熱効率が向上する。
【０００８】
カッタマウントは、ドラムのドラム表面に対向する第一表面と、第一凹部が設けられた第二表面とを有し、第一表面が氷を生成するための水と接触してもよい。
カッタマウントの第一表面とドラムのドラム表面との間隔が、ドラムの回転方向に沿って広くなってもよい。
カッタマウントは、カッタマウントの底部に第二表面を有し、カッタマウントの側部に第一表面を有してもよい。
【０００９】
ドラム式製氷機は、ドラムを収容する筐体をさらに備え、筐体は、突出部を含む側壁を有し、カッタマウントは、突出部の形状に沿った形状をもつキー溝を有し、カッタマウントは、キー溝に突出部を係合させて筐体の側壁に取り付けられてもよい。
ドラム式製氷機は、氷を生成するための水を貯留する製氷水タンクをさらに備え、カッタマウントは、第二凹部を有し、第二凹部を製氷水タンクに係合させてもよい。
カッタマウントは、第二凹部の開口端部に、開口端部を切り欠いた面取り部を有し、面取り部と製氷水タンクとの間に、第二凹部と製氷水タンクとの間を密封するシール材を有してもよい。
ドラム式製氷機は、カッタマウントに、カッタマウントの温度を検出するための温度検出体を備え、温度検出体は、カッタマウントに取り付けられた熱伝導性を有するホルダによって、カッタマウントに接触して固定されてもよい。
【００１０】
側壁は、側壁から突出し且つカッタマウントに当接してカッタマウントを支持する支持部を有してもよい。
支持部は、カッタマウントの第二表面の第一凹部より上方に設けられてもよい。
支持部は、下面を有し、下面は、カッタマウント側の端部がカッタマウントの第二表面の第一凹部より上方となり、凹むように湾曲してもよい。
【発明の効果】
【００１１】
この発明に係るドラム式製氷機によれば、カッタへ均一にヒータの熱を伝達することが可能になる。
【図面の簡単な説明】
【００１２】
【図１】この発明の実施の形態１に係るドラム式製氷機の構成を示す上方から見た斜視図である。
【図２】図１のドラム式製氷機の分解斜視図である。
【図３】図１のＩＩＩ−ＩＩＩ線に沿った断面側面図である。
【図４】図３のカッタマウント周辺部の構成を示す拡大断面側面図である。
【図５】図４のカッタマウントの構成を示す下方から見た斜視図である。
【図６】図１のドラム式製氷機を下方から見た斜視図である。
【図７】図１のＶＩＩ−ＶＩＩ線に沿った部分断面側面図である。
【図８】図４のサーミスタの構成を示す上方から見た斜視図である。
【図９】この発明の実施の形態２に係るドラム式製氷機のカッタマウント周辺部の構成を示す断面側面図である。
【図１０】図９のカッタマウントの構成を示す下方から見た斜視図である。
【図１１】この発明の実施の形態２に係るドラム式製氷機の側壁に対するカッタマウントの取付部分の構成を示す部分断面側面図である。
【図１２】この発明の実施の形態３に係るドラム式製氷機の側壁に対するカッタマウントの取付部分の構成を示す部分断面側面図である。
【図１３】この発明の実施の形態４に係るドラム式製氷機の側壁に対するカッタマウントの取付部分の構成を示す部分断面側面図である。
【発明を実施するための形態】
【００１３】
以下、この発明の実施の形態について添付図面に基づいて説明する。
実施の形態１．
図１〜８を用いて、この発明の実施の形態１に係るドラム式製氷機１０１の構成を説明する。
【００１４】
図１及び２を参照すると、ドラム式製氷機１０１は、側壁１０ａ及び１０ｂと、その両側を側壁１０ａ及び１０ｂに係合させて支持される製氷水タンク本体１ａと、側壁１０ａ及び１０ｂ並びに製氷水タンク本体１ａに係合して支持されるカッタマウント１１とを備えている。そして、側壁１０ａ及び１０ｂと製氷水タンク本体１ａとカッタマウント１１とによって製氷水タンク１が構成されている。
また、側壁１０ａ及び１０ｂは、ドラム式製氷機１０１の筐体１００の一部を構成している。
さらに、ドラム式製氷機１０１は、製氷水タンク本体１ａ内に、回転軸３を中心に回転可能な円筒ドラム２を備えている。円筒ドラム２の回転軸３の両端部分３ａ及び３ｂはそれぞれ、側壁１０ａ及び１０ｂに設けられた軸受１０ｃ及び１０ｄによって回転可能に支持されている。
【００１５】
円筒ドラム２の内部には図示しない蒸発器が設けられている。回転軸３の端部分３ｂは筒状になっており、端部分３ｂを介して、円筒ドラム２の内部が外部に連通している。さらに、回転軸３の端部分３ｂは、図示しない冷凍回路に接続されている。そして、円筒ドラム２の内部には冷凍回路から冷媒が導入され、円筒ドラム２の内部を流通し、円筒ドラム２の円筒状の外周面２ａにおいて外部と熱交換を行った冷媒が冷凍回路に導出される。ここで、外周面２ａは、ドラム表面を構成している。
また、円筒ドラム２の回転軸３の端部分３ａは、側壁１０ａから突出して図示しないモータに連結されており、モータの駆動によって円筒ドラム２が回転する。
【００１６】
図３を参照すると、ドラム式製氷機１０１の製氷水タンク本体１ａの内部には、円筒ドラム２の一部が浸漬するようにして氷を生成するための水である製氷水が所定の水位まで満たされている。
さらに、製氷水の所定の水位より上方に、金属刃を備えるカッタ４が設けられている。カッタ４は、その刃先を斜め上方に向け且つ円筒ドラム２の外周面２ａにおける製氷水から出ている部分２ａ１に向けて設けられ、円筒ドラム２の回転軸３の方向に沿って延びている（図１及び２参照）。また、円筒ドラム２は、図３の破線矢印で示され、図面上で反時計回りである回転方向Ｒに回転駆動され、カッタ４は、円筒ドラム２の外周面２ａ上の氷を剥ぎ取る。
【００１７】
カッタ４は、その下方に設けられたカッタマウント１１に固定・支持されている。
カッタマウント１１は、略台形状の断面形状を有しており、円筒ドラム２の回転軸３の方向に沿って延びる無垢の角柱状の部材である。カッタマウント１１は、その両端を側壁１０ａ及び１０ｂ（図１参照）に係合させて支持・固定され、その底部を製氷水タンク本体１ａの端部１ａ１に係合させて支持されている。そして、カッタマウント１１は、熱伝導性に優れる材料により製作されており、例えば、アルミニウムを使用して製作されている。
図４を参照すると、カッタマウント１１周辺部の詳細な構成が示されている。
カッタマウント１１は、円筒ドラム２の外周面２ａに対向し、且つ外周面２ａに沿った形状を有する第一表面である側面１１ａを有している。すなわち、側面１１ａは、カッタ４によって氷が剥離された直後の円筒ドラム２の外周面２ａに対向する。さらに、カッタマウント１１は、その側面１１ａが円筒ドラム２の外周面２ａと隙間Ｓａ１をあけて位置するように、配置されている。そして、隙間Ｓａ１の幅であるカッタマウント１１の側面１１ａと円筒ドラム２の外周面２ａとの間の距離は、一定となっている。さらに、カッタマウント１１は、製氷水の所定の水位が側面１１ａに位置するように配置されている。
【００１８】
図３に戻り、カッタ４の上面には、氷片を導くスロープ５がカッタ４と境を作らないように固定されており、スロープ５は、カッタ４の上面に沿って下方に向かって傾斜させて設けられている。これにより、氷片はカッタ４とスロープ５との間の境目に引っ掛かることなく下方へ移動する。
なお、スロープ５には、氷が常に密着することから、この氷が解けないように熱伝導性の低い樹脂材料が使用される。
【００１９】
また、製氷水タンク１すなわち側壁１０ａ及び１０ｂ（図１参照）には、スロープ５から落下する氷片を図示しない貯氷庫に案内するためシュート８が固定されている。シュート８は、下方に向かって延びており、シュート８内を落下する氷片がそのまま貯氷庫に入る構成となっている。
【００２０】
さらに、図４及び５を参照すると、カッタマウント１１の詳細な構成が示されている。
カッタマウント１１の第二表面である底面１１ｂには、長手方向すなわち円筒ドラム２の回転軸３（図１参照）の方向に沿って、複数の第一溝１１ｂ１と１つの第二溝１１ｂ２とが直線状に形成されている。第一溝１１ｂ１及び第二溝１１ｂ２はそれぞれ、途中で分断されることなくカッタマウント１１の両端まで延びている。さらに、第二溝１１ｂ２は、第一溝１１ｂ１より円筒ドラム２側に設けられている。ここで、第一溝１１ｂ１及び第二溝１１ｂ２はそれぞれ、第一凹部及び第二凹部を構成している。
そして、第一溝１１ｂ１の内部には、紐状の発熱体であるコードヒータ１５が第一溝１１ｂ１に沿って設けられている。
ここで、カッタマウント１１の第一溝１１ｂ１の断面形状は、コードヒータ１５の断面形状と同様、すなわちコードヒータ１５の外周の形状に沿った形状とすることが好ましい。これにより、コードヒータ１５とカッタマウント１１との接触面積が増大するため、コードヒータ１５の発生する熱がカッタマウント１１に効率よく伝達される。
【００２１】
また、第二溝１１ｂ２には、製氷水タンク本体１ａの端部１ａ１が嵌合している。これにより、カッタマウント１１はその下方を製氷水タンク本体１ａによって支持される。
また、カッタマウント１１の底面１１ｂには、第一溝１１ｂ１の下部全体を塞ぐようにして、コの字状の断面形状を有する板状のヒータ支持部材１６が設けられている。ヒータ支持部材１６は、例えば、締結具によってカッタマウント１１に取り付け・固定されており、第一溝１１ｂ１内にコードヒータ１５を固定し、コードヒータ１５の落下を防止するものである。
【００２２】
さらに、図６を参照すると、ドラム式製氷機１０１を下方から見た図が示されている。なお、図６では、ヒータ支持部材１６が取り付けられておらず、カッタマウント１１の底面１１ｂの第一溝１１ｂ１へのコードヒータ１５の設置状態が見えるようになっている。
コードヒータ１５は、１つの連続した紐状の形状を有しており、コードヒータ１５同士を接触させることなく、略Ｓ字状に曲げられてカッタマウント１１の第一溝１１ｂ１内に埋め込まれている。コードヒータ１５は、その両端部１５ｂ及び１５ｃがそれぞれ、側壁１０ａの内側面１０ａａ及び側壁１０ｂの内側面１０ｂａに沿って下方に垂下されて、図示しない電源装置に接続されており、この電源装置の制御により電圧が印加されて発熱する。（図２参照）
【００２３】
また、コードヒータ１５は、曲がり部１５ａにおいて、屈折させずに円弧状に曲げられており、コードヒータ１５の最小曲げ半径は、コードヒータ１５の仕様により定まる。このため、カッタマウント１１の第一溝１１ｂ１の間隔は、曲がり部１５ａの曲げ半径がコードヒータ１５の最小曲げ半径以上となるように、設定されている。さらに、第一溝１１ｂ１の間隔は、コードヒータ１５の発生する熱がカッタマウント１１の底面１１ｂの全体に均一に与えられるように、等間隔に設定されている。
【００２４】
また、図５を参照すると、カッタマウント１１において、側面１１ａに対向する側面１１ｃには、その両端に矩形状の断面形状を有するキー溝１１ｇ及び１１ｈが形成されている。キー溝１１ｇは、側面１１ｃにおいて、側面１１ｃに隣接する側面１１ｅ側の端部に形成され、側面１１ｃ及び１１ｅにおいて外部に開放している。キー溝１１ｈは、側面１１ｃにおいて、側面１１ｅと反対側で側面１１ｃに隣接する側面１１ｆ側の端部に形成され、側面１１ｃ及び１１ｆにおいて外部に開放している。
さらに、図２及び６を参照すると、側壁１０ａの内側面１０ａａには、内側に向かって突出する突出部であるキー凸部１０ａ１が側壁１０ａと一体に形成され、キー凸部１０ａ１は、カッタマウント１１のキー溝１１ｇの内側に沿った形状を有している。また、側壁１０ｂの内側面１０ｂａには、内側に突出するキー凸部１０ｂ１が側壁１０ｂと一体に形成され、キー凸部１０ｂ１は、カッタマウント１１のキー溝１１ｈの内側に沿った形状を有している。
【００２５】
カッタマウント１１は、側壁１０ａ及び１０ｂに取り付けられる際、キー溝１１ｇに側壁１０ａのキー凸部１０ａ１を嵌合させ、キー溝１１ｈに側壁１０ｂのキー凸部１０ｂ１を嵌合させる。すなわち、カッタマウント１１は、キー溝１１ｇ及び１１ｈとキー凸部１０ａ１及び１０ｂ１との間のキー結合を介して、側壁１０ａ及び１０ｂに取り付けられ、所定の位置に固定される。
【００２６】
キー結合によるカッタマウント１１の固定は、カッタマウント１１の上下方向及び横方向の移動を防ぐことができるだけでなく、キー凸部１０ａ１及び１０ｂ１の周りを回転するカッタマウント１１のローリング方向の移動も防ぐことができる。よって、円筒ドラム２上の氷を剥離する際に、カッタマウント１１にはそのローリング方向にカッタ４を介して剥離負荷がかかるが、経時の使用に伴ってこの剥離負荷がかかり続けても、キー結合によるカッタマウント１１の固定によって、カッタマウント１１は所定の位置に不動な状態で維持される。（図３参照）
また、例えば、ねじ等の締結具のみを使用してカッタマウント１１を側壁１０ａ及び１０ｂに固定する場合、カッタマウント１１には、締結具自体の有するアソビによる移動、及び、経時の使用に伴い発生する締結具のゆるみによる移動が生じるのに対して、キー結合によるカッタマウント１１の固定では、上述のカッタマウント１１の移動が生じない。
【００２７】
次に、図７を参照すると、側壁１０ａに対するカッタマウント１１の取付部分の構成が示されている。
側壁１０ａの内側面１０ａａには、内側面１０ａａから突出して台状の形状を有するマウント支持部１０ａ２が側壁１０ａと一体に形成されている。マウント支持部１０ａ２は、カッタマウント１１が側壁１０ａに取り付けられる際に、その台状形状の天面となる支持面１０ａ３をカッタマウント１１の側面１１ｅと当接させてカッタマウント１１を支持する。また、マウント支持部１０ａ２の支持面１０ａ３上には、キー凸部１０ａ１がマウント支持部１０ａ２と一体に形成されている。
【００２８】
マウント支持部１０ａ２は、その下端面１０ａ４が、カッタマウント１１を側壁１０ａに取り付けた際に、カッタマウント１１の第一溝１１ｂ１の上端と同じ高さ位置になる又は第一溝１１ｂ１より上方に位置するように、形成されている。
また、ヒータ支持部材１６は、第一溝１１ｂ１を全て覆うようにして設けられ、カッタマウント１１の側面１１ｅの位置まで延びている。
そして、マウント支持部１０ａ２の下端面１０ａ４の下方には、側壁１０ａの内側面１０ａａと、カッタマウント１１及びヒータ支持部材１６との間に隙間Ｓｂ１が形成されている。
【００２９】
このため、コードヒータ１５の曲がり部１５ａは、第一溝１１ｂ１からカッタマウント１１の外部に突出し、隙間Ｓｂ１の中で屈折することなく下方に向かって湾曲させて曲げられる。また、コードヒータ１５の両端部１５ｂ及び１５ｃ（図２参照）も、隙間Ｓｂ１の中で屈折することなく下方に向かって湾曲させて曲げられる。これにより、コードヒータ１５は、その曲がりの部分において、コードヒータ１５に設定される最小曲げ半径以上の曲げ半径で曲げられることが可能であり、屈折による断線や発熱不良が防止される。
また、このとき、コードヒータ１５は、カッタマウント１１の側面１１ｅにおける端部を含む第一溝１１ｂ１の全体においてカッタマウント１１と接触している。これにより、コードヒータ１５の熱がカッタマウント１１に効率的に伝達される。
また、マウント支持部１０ａ２の下端面１０ａ４が、第一溝１１ｂ１の上端と同じ高さ位置にある又は第一溝１１ｂ１より上方にあるため、コードヒータ１５がマウント支持部１０ａ２の端部１０ａ５に接触して損傷することがない。
なお、側壁１０ｂに対するカッタマウント１１の取付部分の構成は、側壁１０ａと同様である。
【００３０】
図４及び８を参照すると、カッタマウント１１は、その上面１１ｄが、カッタ４を支持・固定する下方に傾斜した第一上面１１ｄ１と、第一上面１１ｄ１より低くなっており且つ第一上面１１ｄ１と同様の傾斜角度で傾斜した第二上面１１ｄ２と、第二上面１１ｄ２に下方で連続し且つ第二上面１１ｄ２より緩い傾斜角度で下方に傾斜した第三上面１１ｄ３とを有している。
第二上面１１ｄ２及び第三上面１１ｄ３の境界部分には、ホルダ１８によって固定された円柱状のサーミスタ１７が設けられている。ここで、サーミスタ１７は、温度検出体を構成している。さらに、サーミスタ１７には、金属酸化物や半導体等の温度が変化すると電気抵抗が変化する材料が用いられている。そして、サーミスタ１７には、電圧が印加されるようになっており、サーミスタ１７を流れる電流値からサーミスタ１７の電気抵抗値が検出され、この電気抵抗値からサーミスタ１７の温度が算出される。
【００３１】
また、サーミスタ１７は、第二上面１１ｄ２及び第三上面１１ｄ３に当接させて、その下方が支持されている。
ホルダ１８は、熱伝導性の高い材料によって形成されている。また、ホルダ１８は、締結具１９によって第二上面１１ｄ２に固定される固定部１８ａを有しており、さらに、サーミスタ１７の上方を覆うようにして固定部１８ａから連続して延びる当接部１８ｂ及び１８ｃを有している。当接部１８ｂ及び１８ｃは、山型状の断面形状を形成し、それぞれがサーミスタ１７の上方から接触してサーミスタ１７を支持・固定している。
よって、サーミスタ１７は、カッタマウント１１の第二上面１１ｄ２及び第三上面１１ｄ３、並びに、ホルダ１８の当接部１８ｂ及び１８ｃの当接面からなる４つの面と接触し、この４つの面によって支持・固定されている。
【００３２】
このため、サーミスタ１７には、第二上面１１ｄ２及び第三上面１１ｄ３からカッタマウント１１の熱が直接伝達され、さらに、熱伝導性の高いホルダ１８を介して、当接部１８ｂ及び１８ｃからカッタマウント１１の熱が伝達される。
また、第二上面１１ｄ２及び第三上面１１ｄ３には、氷の融解した水が流入すること、及び、結露により結露水が発生することがある。しかしながら、第三上面１１ｄ３が下方に傾斜しているため、第二上面１１ｄ２及び第三上面１１ｄ３の水は、サーミスタ１７の周辺に溜まることなく、第三上面１１ｄ３から流出する。このため、サーミスタ１７は、周囲の水の温度による受ける影響が少なくなっている。
さらに、サーミスタ１７は、その上方がスロープ５によって覆われており、スロープ５は熱伝導性の低い材料から形成されているため、スロープ５を滑り落ちる氷片の冷熱の影響を受けることがない。
【００３３】
次に、図３及び４を用いて、この発明の実施の形態１に係るドラム式製氷機１０１の動作を説明する。
図３を参照すると、図示しない冷凍回路が作動して円筒ドラム２が冷却されると、製氷水タンク１に満たされた製氷水の水面下では、円筒ドラム２の外周面２ａに層状の氷が時間と共に成長する。この氷は、円筒ドラム２の回転により水面上にあらわれ、過冷却されて水分を含まない乾いた氷となる。そして、この氷は、カッタ４で剥離されて薄い鱗状の氷片になり、スロープ５上を滑り降り、シュート８内を落下して図示しない貯氷庫に入る。このとき、スロープ５上には新たに剥離され氷片が次々に送られてくるため、既に剥離された氷片はこの新たに剥離された氷片によりスロープ５に沿ってシュート８の方向へ押し出され、強制的にスロープ５上を滑り落とされる。
【００３４】
図４を参照すると、図示しない冷凍回路が作動して円筒ドラム２が冷却されると、コードヒータ１５には図示しない電源装置によって電圧が印加される。これにより、コードヒータ１５は発熱し、コードヒータ１５の発生した熱は、カッタマウント１１の底面１１ｂの第一溝１１ｂ１からカッタマウント１１に伝達される。第一溝１１ｂ１は、カッタマウント１１の底面１１ｂにおいて複数設けられており、各第一溝１１ｂ１は、直線状に形成されて等間隔に配置されているので、コードヒータ１５の発生した熱は、カッタマウント１１の底面１１ｂ全体に対して均一に伝達される。
【００３５】
コードヒータ１５からカッタマウント１１に伝達された熱は、カッタマウント１１内を伝導し、カッタマウント１１内を伝導する過程で分散されて均一化された状態で、カッタマウント１１の第一上面１１ｄ１及び側面１１ａに伝導される。
カッタマウント１１の第一上面１１ｄ１に伝導された熱は、第一上面１１ｄ１全体からカッタ４に伝達し、カッタ４を加熱してその温度を上昇させる。これにより、カッタ４によって剥離されたがスロープ５上を滑り落ちずにカッタ４の表面に残った微細な氷片が融解する。
よって、カッタ４の表面に氷が堆積して固着し、カッタ４及びスロープ５上における剥離された氷片の流れが妨げられるようなことがない。また、カッタ４には、カッタマウント１１の第一上面１１ｄ１全体から熱が均一に与えられるため、カッタ４の表面における氷片の融解は局所に集中せず、氷片の融解水が局所に集中しない。このため、融解水の表面張力によって、剥離された氷片の流れが妨げられることがない。
【００３６】
また、カッタマウント１１の側面１１ａに伝導された熱は、カッタマウント１１の側面１１ａと円筒ドラム２の外周面２ａとの間である隙間Ｓａ１の製氷水を加熱する。カッタマウント１１の側面１１ａにはその全体に均一に熱が伝導するため、隙間Ｓａ１の製氷水は、その全体が均一に加熱される。このため、製氷水の温度が低い場合に発生しやすい隙間Ｓａ１での製氷水の凍り付きが防止される。また、隙間Ｓａ１で製氷水の凍り付きが発生した場合であっても、凍り付いた製氷水が融解される。これにより、隙間Ｓａ１での製氷水の凍り付きに起因して発生するカッタマウント１１及び円筒ドラム２の音なり及び振動が防止される。
なお、カッタマウント１１の側面１１ａは、カッタ４によって表面の氷が剥離された直後の円筒ドラム２の外周面２ａに対向する位置にあるため、側面１１ａの熱が円筒ドラム２の外周面２ａ上での氷の生成に与える影響は、ほとんどない。
【００３７】
また、ドラム式製氷機１０１では、コードヒータ１５によるカッタマウント１１の加熱は、サーミスタ１７の検出するカッタマウント１１の温度に対応して、間欠的に行なわれる。例えば、サーミスタ１７の検出するカッタマウント１１の温度が、隙間Ｓａ１において製氷水の凍り付きが発生するとみなされる所定の温度Ｔ１に低下すると、コードヒータ１５には図示しない電源装置によって電圧が印加され、カッタマウント１１が加熱される。そして、コードヒータ１５の過剰な発熱を防止するために、サーミスタ１７の検出するカッタマウント１１の温度が所定の温度Ｔ２まで上昇すると、コードヒータ１５に印加されている電圧は切断される。よって、コードヒータ１５は、サーミスタ１７の検出温度が所定の温度範囲である温度Ｔ１から温度Ｔ２の間にある場合に、電圧が印加される。
【００３８】
このように、この発明に係るドラム式製氷機１０１は、回転駆動され、外周面２ａに製氷水から生成された氷が成長する円筒ドラム２と、円筒ドラム２の外周面２ａの氷を剥離するカッタ４と、カッタ４が取り付けられ、第一溝１１ｂ１を有し且つ熱伝導性を有するカッタマウント１１と、カッタマウント１１の第一溝１１ｂ１に設けられたコードヒータ１５とを備える。
これによって、コードヒータ１５の熱は、カッタマウント１１に伝達され、さらにカッタマウント１１を伝導する過程で分散されて均一化された状態でカッタ４に伝達されるため、カッタ４を均一に加熱することができる。さらに、コードヒータ１５を第一溝１１ｂ１内に設けることにより、コードヒータ１５からカッタマウント１１への伝熱面積が増大するため、コードヒータ１５による加熱効率が向上する。
【００３９】
また、カッタマウント１１は、円筒ドラム２の外周面２ａに対向する側面１１ａと、第一溝１１ｂ１が設けられた底面１１ｂとを有し、側面１１ａが製氷水と接触している。これによって、コードヒータ１５の熱は、カッタマウント１１を伝導して側面１１ａに接触する製氷水に伝達される。よって、カッタマウント１１の側面１１ａと円筒ドラム２の外周面２ａとの隙間Ｓａ１で氷が成長し、成長した氷が隙間Ｓａ１に詰まることを防止することができる。
【００４０】
また、ドラム式製氷機１０１におけるカッタマウント１１では、その底面１１ｂに直線状の第一溝１１ｂ１を形成することにより、コードヒータ１５を直線状に配置することができる。さらに、コードヒータ１５を複数の第一溝１１ｂ１に直線状に配置することにより、コードヒータ１５同士を接触させることなく固定することができる。
また、ドラム式製氷機１０１におけるカッタマウント１１では、直線状の第一溝１１ｂ１を等間隔に複数形成し、コードヒータ１５を複数の第一溝１１ｂ１に配置することにより、底面１１ｂを均一に加熱することができる。
また、ドラム式製氷機１０１におけるカッタマウント１１では、第一溝１１ｂ１の間隔を、コードヒータ１５の曲がり部１５ａの曲げ半径がコードヒータ１５の最小曲げ半径以上となるように設定することにより、コードヒータ１５の屈折による断線や発熱不良を防止することができる。
【００４１】
また、ドラム式製氷機１０１におけるカッタマウント１１では、第一溝１１ｂ１の断面形状を、コードヒータ１５の外周の形状に沿った形状とすることにより、コードヒータ１５とカッタマウント１１との接触面積が増大するため、コードヒータ１５の熱をカッタマウント１１に効率よく伝達することができる。
また、ドラム式製氷機１０１におけるカッタマウント１１では、コードヒータ１５が第一溝１１ｂ１に埋め込まれ、第一溝１１ｂ１を覆うようにしてヒータ支持部材１６が取り付けられているため、コードヒータ１５がカッタマウント１１から外れること及び剥がれることを防ぐことができる。
【００４２】
また、ドラム式製氷機１０１におけるカッタマウント１１では、コードヒータ１５は第一溝１１ｂ１に埋め込むことによって取り付けられるため、取付時にコードヒータ１５の位置合わせを必要とせずに所定の位置への取付が可能になる。これにより、ドラム式製氷機１０１の組立時間の短縮によるコストの低減と組立精度の向上による品質の向上とが可能になる。
また、ドラム式製氷機１０１におけるカッタマウント１１には、溝１１ｂ１及び１１ｂ２を有した押出材を用いてもよい。これにより、カッタマウント１１への溝加工が不要になり、コストを低減することができる。
【００４３】
また、ドラム式製氷機１０１は、円筒ドラム２を収容する筐体１００をさらに備え、筐体１００は、キー凸部１０ａ１及び１０ａ２を含む側壁１０ａ及び１０ｂを有している。さらに、カッタマウント１１は、キー凸部１０ａ１及び１０ａ２の形状に沿った形状をもつキー溝１１ｇ及び１１ｈを有し、カッタマウント１１は、キー溝１１ｇ及び１１ｈのそれぞれにキー凸部１０ａ１及び１０ａ２を係合させて筐体１００の側壁１０ａ及び１０ｂに取り付けられている。これによって、キー溝１１ｇ及び１１ｈとキー凸部１０ａ１及び１０ａ２との係合であるキー結合によりカッタマウント１１が側壁１０ａ及び１０ｂに固定される。このため、ねじ等の締結具を使用してカッタマウント１１を側壁１０ａ及び１０ｂに取り付ける場合に比べ、ねじとその取付穴とのアソビに影響されることがないので、カッタ４と円筒ドラム２との隙間を一定にと保つことができる。さらに、ねじ等の締結具を使用してカッタマウント１１を側壁１０ａ及び１０ｂに取り付ける場合に比べ、キー結合による取付は、ねじの経年的な緩みに影響されないため、カッタ４と円筒ドラム２との隙間を一定にと保つことができる。
【００４４】
また、キー結合によりカッタマウント１１を側壁１０ａ及び１０ｂに固定することによって、経時の使用に伴ってカッタマウント１１に剥離負荷がかかり続けても、剥離負荷に影響されずにカッタ４と円筒ドラム２との隙間を一定にと保つことができる。
また、キー結合によりカッタマウント１１を側壁１０ａ及び１０ｂに固定することによって、カッタ４及びカッタマウント１１を円筒ドラム２に対して位置合わせを行なうことを必要とせずに所定の位置へ取り付けることが可能になる。これにより、ドラム式製氷機１０１の組立時間の短縮によるコストの低減と組立精度の向上による品質の向上とが可能になる。
また、キー結合によりカッタ４と円筒ドラム２との隙間Ｓａ１が一定に保たれるため、カッタ４と円筒ドラム２とが接触して損傷が発生すること及び損傷の発生により異物が氷に混入することを防ぐことができる。
また、キー結合によりカッタ４と円筒ドラム２との隙間Ｓａ１が一定に保たれるため、隙間Ｓａ１が狭くなって氷が詰まることにより製氷が停止すること及び異音・振動が発生することを防止することができ、また、隙間Ｓａ１が開くことにより氷の質が劣化すること及び製氷能力が低下することを防止することもできる。
【００４５】
また、ドラム式製氷機１０１は、製氷水を貯留する製氷水タンク本体１ａをさらに備え、カッタマウント１１は、第二溝１１ｂ２を有し、第二溝１１ｂ２を製氷水タンク本体１ａに係合させている。カッタマウント１１を製氷水タンク本体１ａに係合させて取り付けることによって、カッタマウント１１が位置決めされるため、カッタマウント１１の位置決めが容易になりそして確実なものになる。また、カッタマウント１１及び製氷水タンク本体１ａの係合により、カッタマウント１１が固定されるため、カッタマウント１１の固定が容易になる。さらに、製氷水タンク本体１ａの端部１ａ１をカッタマウント１１の第二溝１１ｂ２に係合させることにより、製氷水タンク本体１ａの強度を向上させることができる。これにより、製氷水タンク本体１ａに使用する材料の肉厚を薄くすることができるため、コストを低減することが可能になる。
【００４６】
また、ドラム式製氷機１０１は、カッタマウント１１に、カッタマウント１１の温度を検出するためのサーミスタ１７を備え、サーミスタ１７は、カッタマウント１１に取り付けられた熱伝導性を有するホルダ１８によって、カッタマウント１１に接触して固定されている。これにより、サーミスタ１７には、カッタマウント１１の熱が、カッタマウント１１から直接伝達されると共に、ホルダ１８を介して伝達される。よって、サーミスタ１７の検出温度の精度を向上させ、温度検出の速度を向上させることができる。
【００４７】
また、ドラム式製氷機１０１では、カッタマウント１１において、下方に傾斜した第二上面１１ｄ２と、第二上面１１ｄ２より緩い傾斜角度で下方に傾斜した第三上面１１ｄ３とに当接させて、サーミスタ１７が取り付けられるため、サーミスタ１７の位置決めを容易に且つ確実にすることができる。さらに、サーミスタ１７を所定の位置に容易に固定することもできる。
また、ドラム式製氷機１０１では、サーミスタ１７には、第二上面１１ｄ２及び第三上面１１ｄ３からカッタマウント１１の熱が伝達され、さらに、ホルダ１８における当接部１８ｂ及び１８ｃから、ホルダ１８を介してカッタマウント１１の熱が伝達される。よって、サーミスタ１７の検出温度の精度をさらに向上させ、温度検出の速度をさらに向上させることができる。さらに、第二上面１１ｄ２及び第三上面１１ｄ３、並びに、ホルダ１８における当接部１８ｂ及び１８ｃによってサーミスタ１７が固定されるため、サーミスタ１７の固定を強固にすることができる。
また、ドラム式製氷機１０１では、第二上面１１ｄ２及び第三上面１１ｄ３は下方に傾斜しているため、サーミスタ１７及びその周囲に、剥離された氷が溶けた水及び結露によって生じた水が溜まることがない。よって、サーミスタ１７は、これらの水によって影響を受けない温度検出を行なうことができる。
【００４８】
また、ドラム式製氷機１０１では、第二上面１１ｄ２及び第三上面１１ｄ３を、剥離された氷が流れる流路であるスロープ５から離れた下方となる位置に設けたことにより、サーミスタ１７は、剥離された氷の熱影響を受けずに温度検出を行なうことができる。
また、ドラム式製氷機１０１のカッタマウント１１では、サーミスタ１７を第二上面１１ｄ２及び第三上面１１ｄ３に当接する位置に設けることによって、サーミスタ１７は、側面１１ａが受ける製氷水からの熱の影響と、底面１１ｂがコードヒータ１５から受ける熱の影響とを検出することができる。そして、１つのサーミスタ１７によって、２つの位置の熱影響を検出することができるため、コストを低減することができる。
【００４９】
また、側壁１０ａは、側壁１０ａから突出し且つカッタマウント１１に当接してカッタマウント１１を支持するマウント支持部１０ａ２を有している。さらに、マウント支持部１０ａ２は、カッタマウント１１の底面１１ｂの第一溝１１ｂ１の上端と同じ高さ位置又は第一溝１１ｂ１より上方に設けられている。これにより、カッタマウント１１の第一溝１１ｂ１のコードヒータ１５が、第一溝１１ｂ１から側壁１０ａに向かって突出する場合、マウント支持部１０ａ２と側壁１０ａの内側面１０ａａとの段差部分である隙間Ｓｂ１においてコードヒータ１５を曲げることができる。このため、第一溝１１ｂ１全体においてカッタマウント１１とコードヒータ１５とを接触させることができ、コードヒータ１５の熱がカッタマウント１１に効率的に伝達される。また、突出するマウント支持部１０ａ２の端部１０ａ５とコードヒータ１５が接触することがないため、コードヒータ１５の損傷を防止することができる。
【００５０】
実施の形態２．
この発明の実施の形態２に係るドラム式製氷機は、実施の形態１におけるドラム式製氷機１０１のカッタマウント１１の構成を変更したものである。
なお、以下の実施の形態において、前出した図における参照符号と同一の符号は、同一または同様な構成要素であるので、その詳細な説明は省略する。
【００５１】
図９を参照すると、実施の形態２に係るドラム式製氷機のカッタマウント２１では、円筒ドラム２の外周面２ａと対向する側面２１ａが、円筒ドラム２の外周面２ａに沿った、外周面２ａの形状に近似した形状を有している。しかしながら、側面２１ａは、実施の形態１のカッタマウント１１の側面１１ａと異なり、側面２１ａと円筒ドラム２の外周面２ａとの距離である隙間Ｓａ２の幅が、カッタ４から離れるに従い大きくなる形状を有している。すなわち、隙間Ｓａ２の幅は、円筒ドラム２の回転方向Ｒに沿って大きくなっている。例えば、カッタ４に最も近い部位Ａにおける隙間Ｓａ２の幅Ａ２、カッタ４から最も遠い部位Ｃにおける隙間Ｓａ２の幅Ｃ２、及び、部位Ａと部位Ｃの間となる部位Ｂの幅Ｂ２を比較すると、幅Ｂ２は幅Ａ２より大きく、幅Ｃ２は幅Ｂ２より大きくなっている。すなわち、幅Ａ２＜幅Ｂ２＜幅Ｃ２となっている。
【００５２】
隙間Ｓａ２が幅Ａ２＜幅Ｂ２＜幅Ｃ２となった幅を有することにより、カッタ４により剥離された氷片の一部は、カッタ４と円筒ドラム２の外周面２ａとの間から隙間Ｓａ２内の製氷水に落ちるが、落ちた氷片は、隙間Ｓａ２内で滞留せずに、円筒ドラム２の回転によって隙間Ｓａ２の下方となる外部に掻き出される。よって、隙間Ｓａ２において、氷が成長して隙間Ｓａ２に詰まることがない。
【００５３】
また、カッタマウント２１では、その底面２１ｂにおける第二溝２１ｂ２において、製氷水タンク本体１ａの外側となる開口端部２１ｂ３を切り欠いて面取り部２１ｂ４が形成されている。そして、面取り部２１ｂ４は、第二溝２１ｂ２の長手方向に沿って形成されている。（図１０参照）
また、製氷水タンク本体１ａと面取り部２１ｂ４とによって形成される隙間には、シール材であるコーキング２４が設けられている。コーキング２４により、製氷水タンク本体１ａの内部の製氷水が、製氷水タンク本体１ａと第二溝２１ｂ２との間を通って外部に漏れることが防止される。
【００５４】
次に、図１１を参照すると、側壁２０ａに対するカッタマウント２１の取付部分の構成が示されている。側壁２０ａの内側面２０ａａには、実施の形態１における側壁１０ａのマウント支持部１０ａ２と同様にして、マウント支持部２０ａ２が一体に形成されている。さらに、マウント支持部２０ａ２の支持面２０ａ３上には、キー凸部２０ａ１が一体に形成されている。
マウント支持部２０ａ２は、凹むように湾曲した、すなわち上方に向かって凹んで円筒面状に湾曲した下端面２０ａ４を有しており、下端面２０ａ４は、下面を構成している。下端面２０ａ４は、カッタマウント２１を側壁２０ａに取り付けた際に、支持面２０ａ３との境界をなす端部２０ａ５が、カッタマウント２１の第一溝２１ｂ１の上端と同じ高さ位置になる又は第一溝２１ｂ１より上方に位置するように、形成されている。そして、マウント支持部２０ａ２の下端面２０ａ４及び側壁２０ａの内側面２０ａａと、カッタマウント２１及びヒータ支持部材１６との間に隙間Ｓｂ２が形成される。
【００５５】
このため、第二溝２１ｂ２からカッタマウント２１の外部に突出するコードヒータ１５の曲がり部１５ａは、マウント支持部２０ａ２の下端面２０ａ４に沿って下方に向かって円弧状に曲げられ、側壁２０ａの内側面２０ａａに沿って延びる。また、コードヒータ１５の両端部１５ｂ及び１５ｃ（図２参照）も、マウント支持部２０ａ２の下端面２０ａ４に沿って下方に向かって円弧状に曲げられ、側壁２０ａの内側面２０ａａに沿って延びる。これにより、コードヒータ１５は、下端面２０ａ４において、コードヒータ１５に設定される最小曲げ半径以上の曲げ半径で曲げられることが可能であり、屈折することがない。また、このとき、コードヒータ１５は、カッタマウント２１の側面２１ｅにおける端部を含む第一溝２１ｂ１の全体においてカッタマウント２１と接触している。
【００５６】
また、マウント支持部２０ａ２の下端面２０ａ４の端部２０ａ５が、第一溝２１ｂ１の上端と同じ高さ位置にある又は第一溝２１ｂ１より上方にあるため、コードヒータ１５が端部２０ａ５に接触することがない。
また、コードヒータ１５の曲がり部１５ａは、マウント支持部２０ａ２の下端面２０ａ４及び側壁２０ａの内側面２０ａａに沿って延びるため、コードヒータ１５の熱が側壁２０ａにも伝達される。
なお、カッタマウント２１における側壁に対する他方の取付部分の構成は、側壁２０ａと同様である。
また、この発明の実施の形態２に係るドラム式製氷機のその他の構成及び動作は、実施の形態１と同様であるため、説明を省略する。
【００５７】
このように、実施の形態２におけるドラム式製氷機によれば、上記実施の形態１のドラム式製氷機１０１と同様な効果が得られる。
また、カッタマウント２１の側面２１ａと円筒ドラム２の外周面２ａとの隙間Ｓａ２の間隔が、円筒ドラム２の回転方向Ｒに沿って広くなっている。これによって、隙間Ｓａ２内に氷片が存在しても、氷片は隙間Ｓａ２で滞留することなく、円筒ドラム２の回転によって隙間Ｓａ１の下方となる外部へ掻き出される。また、隙間Ｓａ２内の氷片が成長したとても、円筒ドラム２の回転によって隙間Ｓａ１の下方となる外部へ掻き出される。よって、隙間Ｓａ２において、氷が詰まることを防止することができる。
【００５８】
さらに、隙間Ｓａ２において氷の詰まりを防止することによって、氷の詰まりに起因して発生するカッタマウント２１及び円筒ドラム２間での音鳴り・振動を防止することができる。また、氷が詰まることによって、カッタ４、カッタマウント２１及び円筒ドラム２の間に過大な力が作用するが、氷の詰まりを防ぐことにより、この過大な力の発生を防止することができる。そして、カッタ４、カッタマウント２１及び円筒ドラム２の間での過大な力の発生を防止することにより、カッタ４のズレ、及び円筒ドラム２の回転軸３（図１参照）のズレを防ぐことができ、カッタ４及び円筒ドラム２間の隙間を一定に保つことが可能になる。
【００５９】
また、カッタマウント２１は、第二溝２１ｂ２の開口端部２１ｂ３に、開口端部２１ｂ３を切り欠いた面取り部２１ｂ４を有し、面取り部２１ｂ４と製氷水タンク本体１ａとの間に、第二溝２１ｂ２と製氷水タンク本体１ａとの間を密封するコーキング２４を有している。第二溝２１ｂ２に面取り部２１ｂ４を設けることにより、第二溝２１ｂ２と製氷水タンク本体１ａとの間にコーキング２４を確実に設けることができ、第二溝２１ｂ２及び製氷水タンク本体１ａ間の水密性、及びその耐久性を向上させることが可能になる。
【００６０】
また、側壁２０ａのマウント支持部２０ａ２は、下端面２０ａ４を有し、下端面２０ａ４は、カッタマウント２１側の端部２０ａ５がカッタマウント２１の底面２１ｂの第一溝２１ｂ１の上端と同じ高さ位置になる又は第一溝２１ｂ１より上方となり、凹むように湾曲している。これにより、カッタマウント２１の第一溝２１ｂ１のコードヒータ１５が、第一溝２１ｂ１から側壁２０ａに向かって突出する場合、マウント支持部２０ａ２と側壁２０ａの内側面２０ａａとの隙間Ｓｂ２におけるコードヒータ１５の曲がりを緩くすることができる。
【００６１】
実施の形態３．
この発明の実施の形態３に係るドラム式製氷機は、実施の形態１の側壁１０ａ及び１０ｂに対するカッタマウント１１の取付部分の構成を変更したものである。
図１２を参照すると、側壁３０ａに対するカッタマウント１１の取付部分の構成が示されている。側壁３０ａの内側面３０ａａには、実施の形態１における側壁１０ａのマウント支持部１０ａ２と同様にして、マウント支持部３０ａ２が一体に形成されている。さらに、マウント支持部３０ａ２の支持面３０ａ３上には、キー凸部３０ａ１が一体に形成されている。
【００６２】
マウント支持部３０ａ２は、カッタマウント１１を側壁３０ａに取り付けた際に、その下端面３０ａ４が、カッタマウント１１の底面１１ｂと同じ高さ位置となるように形成されている。
また、ヒータ支持部材１６は、カッタマウント１１の側面１１ｅの位置から後退した位置まで延びている。このため、カッタマウント１１の第一溝１１ｂ１は、側面１１ｅ付近の露出部１１ｂ４においてヒータ支持部材１６に覆われずに外部に露出している。
【００６３】
このため、コードヒータ１５の曲がり部１５ａは、第一溝１１ｂ１の露出部１１ｂ４から下方に向かって突出し、マウント支持部３０ａ２の下端面３０ａ４の端部３０ａ５及び側壁３０ａの内側面３０ａａに当接して、円弧状に曲げられる。また、コードヒータ１５の両端部１５ｂ及び１５ｃ（図２参照）も、曲がり部１５ａと同様にして、円弧状に曲げられて下方に延びる。これにより、コードヒータ１５は、コードヒータ１５に設定される最小曲げ半径以上の曲げ半径で曲げられることが可能であり、屈折することがない。また、このとき、コードヒータ１５は、第一溝１１ｂ１の端部近傍までカッタマウント１１と接触している。これにより、コードヒータ１５の熱がカッタマウント１１に効率的に伝達される。
なお、カッタマウント１１における側壁に対する他方の取付部分の構成は、側壁３０ａと同様である。
また、この発明の実施の形態３に係るドラム式製氷機のその他の構成及び動作は、実施の形態１と同様であるため、説明を省略する。
【００６４】
このように、実施の形態３におけるドラム式製氷機によれば、上記実施の形態１のドラム式製氷機１０１と同様な効果が得られる。
【００６５】
実施の形態４．
この発明の実施の形態４に係るドラム式製氷機は、実施の形態１の側壁１０ａ及び１０ｂに対するカッタマウント１１の取付部分の構成を変更したものである。
図１３を参照すると、側壁４０ａに対するカッタマウント１１の取付部分の構成が示されている。側壁４０ａの内側面４０ａａには、実施の形態１における側壁１０ａのマウント支持部１０ａ２と同様にして、マウント支持部４０ａ２が一体に形成されている。さらに、マウント支持部４０ａ２の支持面４０ａ３上には、キー凸部４０ａ１が一体に形成されている。
【００６６】
マウント支持部４０ａ２は、カッタマウント１１を側壁４０ａに取り付けた際に、その下端面４０ａ４が、カッタマウント１１の第一溝１１ｂ１の上端と同じ高さ位置にある又は第一溝１１ｂ１より上方に位置するように、形成されている。
さらに、側壁４０ａの内側面４０ａａにおいて、マウント支持部４０ａ２の下方には、凹み４０ａ６が形成されている。凹み４０ａ６は、マウント支持部４０ａ２の下端面４０ａ４と一体に形成されている、すなわち、下端面４０ａ４が凹み４０ａ６の側面の一部を構成している。
【００６７】
このため、コードヒータ１５の曲がり部１５ａは、第一溝１１ｂ１から水平方向に突出して、凹み４０ａ６内に延びており、上下方向に曲げられることがなく、また、側壁４０ａに接触することなく延びている。さらに、コードヒータ１５の曲がり部１５ａは、マウント支持部４０ａ２の下端面４０ａ４の端部４０ａ５に接触することもない。また、このとき、コードヒータ１５は、カッタマウント１１の側面１１ｅにおける端部を含む第一溝１１ｂ１の全体においてカッタマウント１１と接触している。
なお、カッタマウント１１における側壁に対する他方の取付部分の構成は、側壁４０ａと同様である。
また、この発明の実施の形態４に係るドラム式製氷機のその他の構成及び動作は、実施の形態１と同様であるため、説明を省略する。
【００６８】
このように、実施の形態４におけるドラム式製氷機によれば、上記実施の形態１のドラム式製氷機１０１と同様な効果が得られる。
また、実施の形態４では、凹み４０ａ６は、マウント支持部４０ａ２の下端面４０ａ４と一体に形成されていたが、これに限定されるものではなく、マウント支持部４０ａ２と間隔をあけて形成されてもよい。
また、実施の形態において、カッタマウント１１及び２１を加熱する発熱体としてコードヒータ１５を使用していたが、これに限定されるものでなく、ベルトヒータであってもよい。さらに、このとき、第一溝１１ｂ１及び２１ｂ１は、カッタマウント１１及び２１の両端に亘って連続して延びるものでなくてもよく、途中で分断されていてもよい。
【符号の説明】
【００６９】
１  製氷水タンク、１ａ  製氷水タンク本体（製氷水タンク）、２  円筒ドラム（ドラム）、２ａ  外周面（ドラム表面）、４  カッタ、１０ａ，１０ｂ，２０ａ，３０ａ，４０ａ  側壁、１０ａ１，１０ｂ１，２０ａ１，３０ａ１，４０ａ１  キー凸部（突出部）、１０ａ２，２０ａ２，３０ａ２，４０ａ２  マウント支持部（支持部）、１１，２１  カッタマウント、１１ａ，２１ａ  側面（第一表面）、１１ｂ，２１ｂ  底面（第二表面）、１１ｂ１，２１ｂ１  第一溝（第一凹部）、１１ｂ２，２１ｂ２  第二溝（第二凹部）、１１ｇ，１１ｈ  キー溝、１５  コードヒータ（発熱体）、１７  サーミスタ（温度検出体）、１８  ホルダ、２０ａ４  下端面（支持部の下面）、２０ａ５  端部（カッタマウント側の端部）、２１ｂ３  開口端部（第二凹部の開口端部）、２１ｂ４  面取り部、２４  コーキング（シール材）、１００  筐体、１０１  ドラム式製氷機、Ｒ  回転方向（ドラムの回転方向）。
【図１】
2011133163.tif 000003
【図２】
2011133163.tif 000004
【図３】
2011133163.tif 000005
【図４】
2011133163.tif 000006
【図５】
2011133163.tif 000007
【図６】
2011133163.tif 000008
【図７】
2011133163.tif 000009
【図８】
2011133163.tif 000010
【図９】
2011133163.tif 000011
【図１０】
2011133163.tif 000012
【図１１】
2011133163.tif 000013
【図１２】
2011133163.tif 000014
【図１３】
2011133163.tif 000015